(57)【特許請求の範囲】
【請求項１】
頭部及び軸部を有するボルトと、
ボルトの頭部に対し、軸部方向と垂直方向を中心軸として回転自在に軸支されるレバーと、
ボルトの軸部の中間部に摺動自在に外嵌する一対のベルト基部と、
一対のベルト基部に掛け渡され、被取付個所に巻着するベルトと、
ボルトの軸部の先端部に螺合するナットと
を備え、上記レバーが、
ポータブル機器を装着するための着脱機構と、
ボルトの軸部方向と垂直方向を中心軸とするレバーの回転により、一方のベルト基部を他方のベルト基部側へ押動するカム機構と
を有しているポータブル機器用取付装置。
【請求項２】
上記カム機構が、レバーの軸支部に軸支軸と垂直に配設される円盤状の板カム部を有しており、レバーの軸支軸が板カム部の中心から偏心している請求項１に記載のポータブル機器用取付装置。
【請求項３】
上記ベルトが、一対のベルト基部から延出する一対のベルトを有し、
この一対のベルトのうち一方のベルトの先端に、他方のベルトを挿入可能な係合部を有し、
この係合部及び他方のベルトが、係合部に挿入した他方のベルトの逆戻りを係止する逆止機構を有している請求項１又は請求項２に記載のポータブル機器用取付装置。
【請求項４】
上記ボルトの軸部の頭部近傍に摺動自在に外嵌するカム台座を備え、
このカム台座におけるボルトの頭部側に板カム部の外周面に沿う円筒内面状の凹面を有している請求項２又は請求項３に記載のポータブル機器用取付装置。
【請求項５】
上記板カム部の外周面及び上記カム台座の凹面に嵌合可能な凹凸構造を有している請求項４に記載のポータブル機器用取付装置。
【請求項６】
上記凹凸構造として、
板カム部の外周面に形成される半球状凸部と、
カム台座の凹面にその凹面の中心軸方向と略平行に形成される凹条部と
を有している請求項５に記載のポータブル機器用取付装置。
【請求項７】
上記板カム部及び／又はカム台座の少なくとも凹凸構造が合成樹脂から形成されている請求項５又は請求項６に記載のポータブル機器用取付装置。
【請求項８】
上記ボルトの軸部におけるカム台座とナットとの間に外嵌するエラストマー材料製のワッシャーを備えている請求項５、請求項６又は請求項７に記載のポータブル機器用取付装置。
【請求項９】
請求項１から請求項８のいずれか１項に記載のポータブル機器用取付装置を備える照明機器。
【発明の詳細な説明】
【技術分野】
【０００１】
本発明は、照明機器等のポータブル機器を自転車等に取り付けるためのポータブル機器用取付装置及びこれを備える照明機器に関するものである。
【背景技術】
【０００２】
今日では、照明機器、携帯電話、ＰＤＡ、トランシーバー、ナビゲーション装置、各種アクセサリー機器（例えば携帯用空気入れ等）等のポータブル機器の小型化及び省電力化並びに電池の長寿命化が促進されている。特に、照明機器は、光源としてＬＥＤを使用することで、小型化、軽量化及び省電力化が促進されている。このように小型軽量化及び省電力化したポータブル機器、特に照明機器を、自転車、自動二輪車、自動車等及びこれらの付属部品に、運転等の際の安全性、便利性、快適性等を目的として又はアクセサリーとして取り付けることが社会的に要請されている。
【０００３】
従来の照明機器の取付装置としては、例えば特開平１０−７０５０号公報、特開２００１−２７８１４５号公報等に開示された取付装置が開発市販されている。かかる従来の照明機器用取付装置は、自転車のハンドルに巻装するためのホルダー部と、照明機器を装着するための着脱機構とを備えている。このホルダー部は、切欠部を有する有端リング状部と、この有端リング状部の対偶する一対の端部を締め付けるためのボルト及びナットとを備えている。このホルダー部の有端リング状部を自転車のハンドルに外嵌し、ボルト及びナットにより有端リング状部を締め付けることで、照明機器用取付装置を自転車のハンドルに締結することができる。
【０００４】
上記従来の照明機器用取付装置は、自転車のハンドルへの取り付け及び取り外しにボルト及びナットを操作するためのドライバー等の工具が必要であり、その取り付け及び取り外し作業が面倒である。かかる取り付け及び取り外し作業の容易性を高めるべく、ナットの外径を大きくした照明機器用取付装置（例えば特開２００１−２３３２６４号公報等参照）や、フック機構により自転車のハンドルに取り付ける照明機器用取付装置（例えば特開２００２−２８４０６１号公報等参照）が開発されている。
【特許文献１】特開平１０−７０５０号公報
【特許文献２】特開２００１−２７８１４５号公報
【特許文献３】特開２００１−２３３２６４号公報
【特許文献４】特開２００２−２８４０６１号公報
【発明の開示】
【発明が解決しようとする課題】
【０００５】
工具無しで取り付け及び取り外しが可能な上記従来の照明機器用取付装置は、自転車のハンドルへの締結力が弱く、自転車の走行時に振動が生じる関係上、意図せぬ脱落、回転又は移動を招来するおそれがある。
【０００６】
また、上記従来の照明機器用取付装置は、照明機器の向きを自在に変更することが困難である。特開２００２−２８４０６１号公報に開示の照明機器用取付装置は、照明機器の向きを上下左右に傾動することができるが、その傾動角度範囲が限定されており、例えば後方に向けることが困難である。自転車に取り付けた照明機器は、原則として前方を照射するよう用いられるが、安全性及び便利性の観点から側方や後方を照射する方が好ましい場合もある。しかし、上記従来の照明機器用取付装置では、かかる任意方向の照射には対応することができない。
【０００７】
さらに、上記従来の照明機器用取付装置は、自転車等のハンドルへの取り付けのみが可能であり、例えば前カゴ、ヘルメット等への取り付けは意図されていない。加えて、上記従来の取付装置は、照明機器用であり、その他の例えば携帯電話、ＰＤＡ、トランシーバー、ナビゲーション装置、各種アクセサリー機器等のポータブル機器の取り付けは意図されていない。
【０００８】
本発明はこれらの不都合に鑑みてなされたものであり、工具無しで被取付個所へ格段に強く締結でき、取り付けたポータブル機器の水平方向及び傾斜角度が任意に調整でき、被取付個所及び取付対象物の多様性を有するポータブル機器用取付装置の提供を目的とするものである。
【課題を解決するための手段】
【０００９】
上記課題を解決するためになされた発明は、
（ａ）頭部及び軸部を有するボルトと、
（ｂ）ボルトの頭部に対し、軸部方向（軸部の中心軸の方向）と垂直方向を中心軸として回転自在に軸支されるレバーと、
（ｃ）ボルトの軸部の中間部に摺動自在に外嵌する一対のベルト基部と、
（ｄ）一対のベルト基部に掛け渡され、被取付個所に巻着するベルトと、
（ｅ）ボルトの軸部の先端部に螺合するナットと
を備え、上記レバーが、
（ｆ）ポータブル機器を装着するための着脱機構と、
（ｇ）ボルトの軸部方向と垂直方向を中心軸とするレバーの回転により、一方のベルト基部を他方のベルト基部側へ押動するカム機構と
を有しているポータブル機器用取付装置である。
【００１０】
当該ポータブル機器用取付装置は、一対のベルト基部に掛け渡されるベルトにより被取付個所に巻着し、ボルトの軸部に対するナットの回転及び／又はボルトの軸部方向を中心軸とするレバーの回転（以下「水平回転」という）により一対のベルト基部の間隔を縮小し、さらにボルトの軸部方向と垂直方向を中心軸とするレバーの回転（以下「上下回転」という）及びカム機構により一方のベルト基部を他方のベルト基部側へ押動することで、被取付個所に強固に締結することができる。また当該ポータブル機器用取付装置は、レバーの水平回転及び上下回転により、レバーに装着したポータブル機器の水平方向及び傾斜角度を任意に調節することができる。さらに当該ポータブル機器用取付装置は、被取付個所への取り付けにベルトを用いているため、自転車のハンドルに限定されず、種々の被取付個所に締結することができる。また当該ポータブル機器用取付装置は、着脱機構を有するレバーの形状を調節することで、任意のポータブル機器の取り付けに対応することができる。
【００１１】
上記カム機構としては、レバーの軸支部に軸支軸（軸支による回転の中心軸）と垂直に配設される円盤状の板カム部を有し、レバーの軸支軸が板カム部の中心から偏心しているとよい。かかるカム機構によれば、レバーの軸支部に板カム部を付設する簡易な構造で、レバーの上下回転に従って頭部側のベルト基部を他方のベルト基部側へ押動することができる。
【００１２】
上記ベルトが一対のベルト基部から延出する一対のベルトを有し、この一対のベルトのうち一方のベルトの先端に他方のベルトを挿入可能な係合部を有し、この係合部及び他方のベルトが係合部に挿入した他方のベルトの逆戻りを係止する逆止機構を有しているとよい。このような係合手段及び逆止機構を有する一対のベルトによれば、被取付個所の適応性が拡大する。
【００１３】
上記ボルトの軸部の頭部近傍に摺動自在に外嵌するカム台座を備え、このカム台座におけるボルトの頭部側に板カム部の外周面に沿う円筒内面状の凹面を有するとよい。このように板カム部の外周面に沿う凹面を有するカム台座をボルト軸部のレバー直下に外嵌することで、上記カム機構によるベルト基部への押動力を効果的に伝達することができる。
【００１４】
上記板カム部の外周面及び上記カム台座の凹面に嵌合可能な凹凸構造を有するとよい。かかる板カム部及びカム台座の接触面の凹凸構造により、カム台座ひいてはボルトの軸部に対してレバーを所定の角度位置に係止すること、換言すると締結時のレバーの位置決めが可能となる。そのため、かかる凹凸構造を有することで、当該ポータブル機器用取付装置によるポータブル機器の装着時に、レバーに装着したポータブル機器の向きを固定することができ、その結果、自転車の振動等に起因したポータブル機器の向き変化及び当該ポータブル機器用取付装置の締結力の低下を低減することができる。
【００１５】
上記凹凸構造としては、板カム部の外周面に形成される半球状凸部と、カム台座の凹面にその凹面の中心軸方向（凹面が構成する円筒内面の中心軸方向）と略平行に形成される凹条部とを有することが好ましい。このように板カム部の外周面に形成される半球状凸部とカム台座の凹面に形成される凹条部とから凹凸構造を構成することで、レバーの上下回転による板カム部及びカム台座の係合が容易かつ確実になる。
【００１６】
上記板カム部及び／又はカム台座の少なくとも凹凸構造は、合成樹脂から形成することが好ましい。このように板カム部及び／又はカム台座の少なくとも凹凸構造を合成樹脂から形成することで、板カム部及びカム台座の係合部分が所定の弾性変形能を有することとなる。そのため、上述のレバーの水平回転による被取付個所への締結の際に、カム機構により一方のベルト基部に対して下方への押動力を作用させつつ、カム台座の凹条部と板カム部の半球状凸部とを嵌合させることが容易かつ確実になる。
【００１７】
上記ボルトの軸部におけるカム台座とナットとの間に外嵌するエラストマー材料製のワッシャーを備えるとよい。かかるボルト軸部のカム台座及びナット間に外嵌するエラストマー材料製のワッシャーが弾性変形能を有するため、上述のレバーの水平回転による被取付個所への締結の際に、カム機構により一方のベルト基部に対して下方への押動力を作用させつつ、カム台座の凹条部と板カム部の半球状凸部とを嵌合させることが容易かつ確実になる。
【００１８】
従って、当該ポータブル機器用取付装置を備える照明機器は、ドライバー等の工具を使用することなく自転車のハンドル等の被取付個所に対して格段に強く締結でき、照明の方向が任意に調整でき、ハンドルに限定されず例えば前カゴ、ヘルメット等の種々の被取付個所に締結することができる。
【００１９】
なお、本発明の説明で使用される上下、左右、水平及び鉛直の方向関係は、ボルトをその頭部を上方に置き鉛直に位置した状態における方向関係を示している。
【発明の効果】
【００２０】
以上説明したように、本発明のポータブル機器用取付装置は、工具無しで被取付個所へ格段に強く締結でき、取り付けたポータブル機器の水平方向及び傾斜角度が任意に調整でき、被取付個所及び取付対象物の多種多様性を有している。また、本発明の取付装置を備える照明機器は、工具無しで格段に強固に取り付けることができ、側方や後方など任意の方向を照射することができる。従って、当該ポータブル機器用取付装置及びこれを備える照明機器は、自転車、自動二輪車、自動車等の運転等の際の安全性、便利性、快適性等を促進することができる。
【発明を実施するための最良の形態】
【００２１】
以下、適宜図面を参照しつつ本発明の実施の形態を詳説する。図１（ａ）及び（ｂ）は本発明の一実施形態に係るポータブル機器用取付装置を示す側面図及び平面図、図２は図１のポータブル機器用取付装置の分解構成図、図３（ａ）及び（ｂ）は図１のポータブル機器用取付装置が備える一方のベルトの係合部を示す側面図及び正面図、図４は図１のポータブル機器用取付装置が備える他方のベルトの先端付近を示す斜視図、図５（ａ）、（ｂ）及び（ｃ）は図１のポータブル機器用取付装置の取り付け方法を説明する側面図、図６は図１のポータブル機器用取付装置とは異なる形態に係るポータブル機器用取付装置を示す側面図、図７は図６のポータブル機器用取付装置のレバーを示す斜視図、図８は図６のポータブル機器用取付装置のカム台座を示す斜視図である。
【００２２】
図１（ａ）（ｂ）及び図２のポータブル機器用取付装置は、ボルト１と、レバー２と、カム台座３と、一対のベルト基部４及び５と、一対のベルト６及び７と、ナット８とを備えている。
【００２３】
ボルト１は、軸部９と頭部１０とを有している。この軸部９は、細長い円柱状のものであり、先端部にネジが穿設されている。頭部１０は、中央に貫通孔を有する円盤状（ドーナツ状）のものであり、軸部９の後端（上端）に軸部方向（軸部９の中心軸の方向）と平行に付設されている。そのため、頭部１０の貫通孔は、軸部方向と垂直方向に向けられている。
【００２４】
レバー２は、円盤状（扁平円柱状）の一対の板カム部１１と、この一対の板カム部１１の上方から延びる長方形板状のレバー部１２と、一対の板カム部１１及びレバー部１２間に形成される補強用のリム部１３とを有している。また、レバー２は、後述するカム機構と着脱機構１４とを有している。
【００２５】
一対の板カム部１１は、ボルト１の軸部方向と平行に所定間隔を開けて配設され、ボルト１の軸部方向と垂直方向に離間して形成される一対の支承孔を有している（図示していない）。一対の板カム部１１間に配設される頭部１０の貫通孔と一対の支承孔とに一本の支承ピン１５が挿入されている。かかる構造により、レバー２は、ボルト１の頭部１０に上下回転自在に軸支されている。
【００２６】
板カム部１１の支承孔は、レバー部１２の上面が略水平になる状態において、円盤状の板カム部１１の中心から上方に偏心している。そのため、レバー２をレバー部１２の上面が略鉛直になる状態から略水平になる状態に下方へ回転すると、板カム部１１における支承軸及び下端間の距離が漸増し、その結果、板カム部１１の外端面により頭部側のベルト基部４を他方のベルト基部５側へ押動することができる。かかるレバー２の軸支部の構造によりカム機構が構成されている。
【００２７】
着脱機構１４は、ポータブル機器を装着するためのものであり、レバー部１２の上面に形成されている。着脱機構１４は、ほぞ部１６と係合突起部１７とを備えている。ほぞ部１６は、レバー部１２の上面に沿って形成される断面が略Ｔ字状の突条であり、取り付けるポータブル機器の底面に形成される断面が略Ｔ字状の凹条溝にスライドさせて挿入可能に構成されている。係合突起部１７は、レバー部１２の上面の先端近傍に形成され、ポータブル機器を上述のようにスライドさせて挿入した状態で、ポータブル機器の底面に形成された係合孔に嵌合するよう構成されている。かかるほぞ部１６及び係合突起部１７により、ポータブル機器の取り付け及び取り外しが簡易かつ確実になり、ポータブル機器の意図せぬ脱落が防止される。なお、レバー部１２が所定の弾性を有しているため、レバー部１２の先端を下方に撓めて係合突起部１７とポータブル機器の係合孔との嵌合を解除することで、当該取付装置からのポータブル機器の取り外しが可能となる。
【００２８】
カム台座３は、中心軸に貫通孔を有する略扁平円筒体であり、ボルト１の軸部９の頭部側（レバー２の直下）に摺動自在に外嵌している。このカム台座３における頭部側の面（上面）は、一対の板カム部１１の外周面に沿うよう円筒内面状の凹面に形成されている。このように、板カム部１１と頭部側のベルト基部４との間に、板カム部１１の外周面に沿う凹面を有するカム台座３を備えることで、上記カム機構による押動力をベルト基部４の上面全面に効果的に伝達することができる。
【００２９】
一対のベルト基部４及び５は、中心軸に貫通孔を有する略扁平円筒状のものであり、ボルト１の軸部９の中間部に摺動自在に外嵌している。この一対のベルト基部４及び５は、後述する一対のベルト６及び７を上下に延出するための突起部が付設されている。
【００３０】
一対のベルト６及び７は、一対のベルト基部４及び５に掛け渡されて被取付個所に巻着するための帯状体である。この一対のベルト６及び７は、それぞれ一対のベルト基部４及び５（それらの突起部）から上方及び下方に延出している。ボルト１の頭部側に配設される一方のベルト６は、その先端に係合部１８を有している。
【００３１】
係合部１８は、図３（ａ）及び（ｂ）に示すように、他方のベルト７を挿入可能なスリット１９と、他方のベルト７の逆戻りを阻止するラチェット部２０とを有している。このラチェット部２０は、係合部１８のスリット１９の内側（一方のベルト６の先端を下方に湾曲させた状態でのベルト基部４側）の側壁を構成し、かつ先端方向に延出する板状体であり、その先端辺のスリット１９側に三角柱状のラチェット歯２１が突設されている。ラチェット部２０は、所定の弾性を有し、ラチェット歯２１側に可撓性を有している。ラチェット歯２１は、スリット１９への他方のベルト７の挿入を容易にすべく先端側（挿入側）側面の傾斜角が鋭角とされ、スリット１９からの他方のベルト７の逆戻りを阻止すべく後端側側面の傾斜角が略直角とされている。
【００３２】
他方のベルト７は、図４に示すように、内側（他方のベルト７の先端を上方に湾曲させた状態でのベルト基部５側）に三角柱状の複数の逆止歯２２が形成されている。この逆止歯２２は、スリット１９への挿入を容易にすべく先端側側面の傾斜角が鋭角とされ、スリット１９からの逆戻りを阻止すべく後端側側面の傾斜角が略直角とされている。かかるラチェット歯２１及び逆止歯２２の係合により、係合部１８のスリット１９に挿入した他方のベルト７の逆戻りを係止する逆止機構を構成している。
【００３３】
ナット８は、中心にネジ孔を有する扁平円筒体であり、外面に滑り止めのための複数の縦溝が穿設されている。このナット８は、ボルト１の軸部９の先端部（他方のベルト基部５の直下）に螺合している。
【００３４】
当該ポータブル機器用取付装置の被取付個所Ｘへの取り付け方法を、図５（ａ）〜（ｃ）を参照しつつ説明する。まず、図５（ａ）に示すように、当該ポータブル機器用取付装置の一対のベルト６及び７を自転車のハンドル等の被取付個所Ｘに掛け渡し、一方のベルト６先端の係合部１８のスリット１９に他方のベルト７を挿入して引っ張り、一対のベルト６及び７を被取付個所Ｘに巻着する。このとき、ラチェット歯２１及び逆止歯２２からなる逆止機構により、一対のベルト６及び７の被取付個所Ｘへの巻着状態が固定される。次に、ボルト１に対してナット８を締め付け、一対のベルト基部４及び５の間隔を狭めて被取付個所Ｘへの巻着状態をさらに強くする。
【００３５】
次に、図５（ｂ）に示すように、レバー２を斜め上方を向けた状態で水平回転し、レバー２に連結するボルト１の軸部９をナット８に対してねじ込み、一対のベルト基部４及び５の間隔をさらに狭めて当該ポータブル機器用取付装置を被取付個所Ｘにより強く締結する。
【００３６】
次に、図５（ｃ）に示すように、レバー２を略水平（ボルト１の軸部９と略垂直）になるよう下方に回転することで、レバー２のカム機構により一方のベルト基部４を他方のベルト基部５側へ押動し、被取付個所Ｘへの締結力を格段に増大させる。このとき、板カム部１１における支承軸及び下端間の距離が最大になる状態を超えるまでレバー２を下方に回転することで、レバー２のカム機構による締結力がさらに増大し、振動等による意図せぬ締結の解除を低減することができる。
【００３７】
最後に、レバー２の着脱機構１４により当該ポータブル機器用取付装置に照明機器Ｙを装着することで、被取付個所Ｘに照明機器Ｙを取り付けることができる。取り付けられた照明機器Ｙは、レバー２を水平回転及び上下回転することで、その照射方向を広範囲かつ任意に調節することができる。なお、照明機器Ｙは、特に限定されるものではなく、例えばＬＥＤランプ等が使用されるが、その底部には上述のようにほぞ部１６にスライド挿入可能な略Ｔ字状断面の凹条溝とスライド挿入した状態で係合突起部１７に嵌合する係合孔とを有している。
【００３８】
当該ポータブル機器用取付装置の構成部材の材料としては、各部材に必要とされる強度が保持できれば特に限定されるものではなく、例えば鉄、鋼、銅、銅合金、アルミニウム合金等の金属や、例えばポリエチレンテレフタレート、ポリエチレンナフタレート、アクリル樹脂、ポリカーボネート、ポリスチレン、ポリオレフィン、セルロースアセテート、耐候性塩化ビニル等の合成樹脂が使用される。中でも、高い強度及び耐候性が必要とされるボルト１及びナット８の材料としてはアルミニウム合金、銅合金、ステンレス鋼等が好ましく、その他の部材の材料としては軽量で耐候性が高い耐候性塩化ビニル、ポリカーボネート、ポリエチレンテレフタレート等が好ましい。
【００３９】
当該ポータブル機器用取付装置は、レバー２の水平回転によりボルト１をナット８に対してネジ込む動作と、レバー２の上下回転及びカム機構により一方のベルト基部４の下方へ押動する動作とで、被取付個所Ｘに非常に強固に締結することができる。また当該ポータブル機器用取付装置は、レバー２の水平回転及び上下回転により、レバー２に装着したポータブル機器の水平方向及び傾斜角度を広範囲に調節することができる。さらに当該ポータブル機器用取付装置は、自転車のハンドル等に限定されず、一対のベルト６及び７を巻着することができる種々の被取付個所Ｘ（例えば自転車の前カゴ、ヘルメット、ステー等）に締結することができる。また当該ポータブル機器用取付装置は、着脱機構１４を有するレバー２の形状を調節することで、任意のポータブル機器の取り付けに対応することができる。
【００４０】
図６のポータブル機器用取付装置は、ボルト１と、レバー２と、カム台座３と、一対のベルト基部４及び５と、一対のベルト６及び７と、ナット８と、ワッシャー２３と、凹凸構造とを備えている。
【００４１】
当該ポータブル機器用取付装置のボルト１、レバー２、カム台座３、一対のベルト基部４，５及び一対のベルト６，７の基本的構造及び機能は、上記図１のポータブル機器用取付装置と同様であるため、同一番号を付して説明を省略する。一方、当該ポータブル機器用取付装置は、図１のポータブル機器用取付装置と対比して、以下に示す凹凸構造及びワッシャー２３を備えることを特徴とする。
【００４２】
当該ポータブル機器用取付装置のレバー２は、図７に示すように、一対の板カム部１１の外周面に形成される一対の半球状凸部２４を有している。一対の半球状凸部２４は、レバー２の上下回転軸（ボルト１の軸部方向と垂直方向）と平行に配設されている。また半球状凸部２４は、レバー部１２の上面が略水平になる状態において、板カム部１１の先端側（レバー部１２側）斜め下方（つまり、下方かつ先端側）に突設されている。
【００４３】
当該ポータブル機器用取付装置のカム台座３は、その凹面に形成される一対の凹条部２５を有している。この凹条部２５は、半円形状の断面を有する直線状溝である。この一対の凹条部２５は、カム台座３中央の貫通孔から両側に略等間隔で配設され、かつ円筒内面状の凹面の中心軸方向と略平行に配設されている。
【００４４】
上述のカム台座３の凹条部２５と板カム部１１の半球状凸部２４とは、嵌合可能に形成されており、凹凸構造を構成している。また、カム台座３の凹条部２５と板カム部１１の半球状凸部２４とは、図６に示すように、当該ポータブル機器用取付装置をレバー２の水平回転及び上下回転により締結した状態において、レバー部１２の上面が略水平（ボルト１の軸部９と略垂直）になる位置で嵌合するよう形成されている。
【００４５】
上記板カム部１１及び／又はカム台座３の少なくとも凹凸構造は、合成樹脂から形成することが好ましい。このように板カム部１１及び／又はカム台座３の少なくとも凹凸構造を合成樹脂から形成することで、板カム部１１及びカム台座３の係合部分が所定の弾性変形能を有し、レバー２の水平回転による被取付個所Ｘへの締結の際に、カム機構により一方のベルト基部４に対して下方への押動力を作用させつつ、カム台座３の凹条部２５と板カム部１１の半球状凸部２４とを嵌合させることが容易かつ確実になる。なお、かかる板カム部１１及びカム台座３の形成材料として使用される具体的な合成樹脂としては、上記合成樹脂と同様である。
【００４６】
ワッシャー２３は、円板状かつリング状のものであり、ボルト１の軸部９における一対のベルト基部４及び５間に摺動自在に外嵌している。このワッシャー２３は、エラストマー材料から形成されており、所定の弾性変形能を有している。
【００４７】
ワッシャー２３を形成するエラストマー材料としては、具体的には、ゴム又は熱可塑性エラストマーが用いられる。このゴムとしては、特に限定されず、例えば天然ゴム、ポリイソプレン、ポリブタジエン、スチレン−ブタジエン共重合体、アクリロニトリル−ブタジエン共重合体、エチレン−プロピレン−ジエン共重合体、エチレン−プロピレン共重合体、ポリクロロプレン、イソブチレン−イソプレン共重合体、シリコンゴム等が用いられる。また、熱可塑性エラストマーとしては、特に限定されず、例えばスチレン系熱可塑性エラストマー、オレフィン系熱可塑性エラストマー、エステル系熱可塑性エラストマー、ウレタン系熱可塑性エラストマー、アミド系熱可塑性エラストマー、フッ素系熱可塑性エラストマー等が用いられる。
【００４８】
当該ポータブル機器用取付装置は、図１のポータブル機器用取付装置と同様に、照明機器等の任意のポータブル機器を自転車のハンドル等の種々の被取付個所Ｘに非常に強固に締結することができる。また当該ポータブル機器用取付装置は、被取付個所Ｘへの締結の際に、レバー２の水平回転により凹凸構造を構成するカム台座３の凹条部２５と板カム部１１の半球状凸部２４とを嵌合させることで、ボルト１の軸部９の方向に対してレバー２の上面（つまり、ポータブル機器の着脱機構１４）を垂直に位置決めし、取り付けた照明機器等のポータブル機器の向きを固定することができ、その結果、自転車の運転時の振動等による意図せぬポータブル機器の向き変化や締結力の低下を低減することができる。さらに当該ポータブル機器用取付装置は、ベルト基部４及び５間に弾性変形能を有するワッシャー２３を備えていることから、レバー２の水平回転による被取付個所Ｘへの締結の際に、カム機構により一方のベルト基部４に対して下方への押動力を作用させつつ、カム台座３の凹条部２５と板カム部１１の半球状凸部２４とを嵌合させることが容易かつ確実になり、これらの凹凸構造に及ぼす過度の負担を軽減することができる。
【００４９】
従って、当該ポータブル機器用取付装置を備える照明機器は、ドライバー等の工具を使用することなく自転車のハンドル等の被取付個所Ｘに対して格段に強く締結でき、照明の方向が任意に調整でき、ハンドルに限定されず例えば前カゴ、ヘルメット等の種々の被取付個所に締結することができる。
【００５０】
なお、本発明のポータブル機器用取付装置及びこれを備える照明機器は上記実施形態に限定されるものではない。例えばベルトは、一対のベルト基部に掛け渡され、被取付個所に巻着することができれば、ベルト基部に係止可能な単一のゴムベルト等の種々の形態を採用することができる。着脱機構は、ポータブル機器を装着することができれば、種々の係合手段を採用することができる。カム機構は、レバーの上下回転により、頭部側のベルト基部を他方のベルト基部側へ押動することができれば、他の種々の構造を採用することができる。
【００５１】
また、凹凸構造の形状も、上述の半球状凸部２４及び凹条部２５に限定されず、凹凸構造を構成する両者が嵌合可能であり、板カム部の外周面とカム台座の凹面とが位置決め可能な種々の形状が採用される。凹凸構造によるレバー２の位置決め姿勢も、上述のようなボルト１の軸部９に対してレバー２の上面が水平になる姿勢に限定されず、取り付けられるポータブル機器の用途や機能等に合わせて適宜選択することができる。ワッシャー２３の位置も、上述のベルト基部４及び５間に限定されず、カム台座とナットとの間であればよく、上述の凹凸構造の嵌合容易化及び確実化機能を奏することができる。
【産業上の利用可能性】
【００５２】
以上のように、本発明のポータブル機器用取付装置は、例えば照明機器、携帯電話、ＰＤＡ、トランシーバー、ナビゲーション装置、各種アクセサリー機器（例えば携帯用空気入れ等）等の小型軽量ポータブル機器の取付装置として有用であり、特に自転車、自動二輪車、自動車等及びこれらの付属部品への取り付けに適している。
【図面の簡単な説明】
【００５３】
【図１】本発明の一実施形態に係るポータブル機器用取付装置を示す側面図（ａ）及び平面図（ｂ）
【図２】図１のポータブル機器用取付装置の分解構成図
【図３】図１のポータブル機器用取付装置が備える一方のベルトの係合部を示す側面図（ａ）及び正面図（ｂ）
【図４】図１のポータブル機器用取付装置が備える他方のベルトの先端付近を示す斜視図
【図５】図１のポータブル機器用取付装置の取り付け方法を説明する側面図
【図６】図１のポータブル機器用取付装置とは異なる形態に係るポータブル機器用取付装置を示す側面図
【図７】図６のポータブル機器用取付装置のレバーを示す斜視図
【図８】図６のポータブル機器用取付装置のカム台座を示す斜視図
【符号の説明】
【００５４】
１  ボルト
２  レバー
３  カム台座
４  ベルト基部
５  ベルト基部
６  一方のベルト
７  他方のベルト
８  ナット
９  軸部
１０  頭部
１１  板カム部
１２  レバー部
１３  リム部
１４  着脱機構
１５  支承ピン
１６  ほぞ部
１７  係合突起部
１８  係合部
１９  スリット
２０  ラチェット部
２１  ラチェット歯
２２  逆止歯
２３  ワッシャー
２４  半球状凸部
２５  凹条部
Ｘ  被取付個所
Ｙ  照明機器
【図１】
0004813207.tif 000002
【図２】
0004813207.tif 000003
【図３】
0004813207.tif 000004
【図４】
0004813207.tif 000005
【図５】
0004813207.tif 000006
【図６】
0004813207.tif 000007
【図７】
0004813207.tif 000008
【図８】
0004813207.tif 000009